(57)【要約】【課題】背面のタッチセンサの電極の劣化を低減させ、かつ所望の強度を有し、さらには暗色印刷用の材料の選択肢を広げることができる化学強化処理された表示装置用カバーガラスを提供する。【解決手段】化学強化処理された第１のガラス板と、無アルカリガラスまたは微アルカリガラスからなる第２のガラス板と、第１のガラス板と第２のガラス板との間に介在する接着層と、を備え、第１のガラス板が表示装置の使用者側に配される、表示装置用カバーガラス。【選択図】図１
2013174700.tif 000002
【特許請求の範囲】
【請求項１】
表示装置の前面に備えられる、カバーガラスであって、化学強化処理された第１のガラス板と、無アルカリガラスまたは微アルカリガラスからなる第２のガラス板と、第１のガラス板と第２のガラス板との間に介在する接着層と、を備え、第１のガラス板が表示装置の使用者側に配される、表示装置用カバーガラス。
【請求項２】
第２のガラス板が、実質的にアルカリ成分を含まないガラスからなる、請求項１に記載のカバーガラス。
【請求項３】
第１のガラス板の前記接着層側の面周縁に暗色印刷層が設けられている、請求項１または２に記載のカバーガラス。
【請求項４】
第２のガラス板の周縁に暗色印刷層が設けられている、請求項１、２または３に記載のカバーガラス。
【請求項５】
第２のガラス板の前記接着層と反対側の面に電極が設けられている、請求項１、２、３または４に記載の表示装置用付きカバーガラス。
【請求項６】
前記電極が、表示装置のタッチセンサを動作させるパタン化された電極を含む、請求項６に記載の表示装置用カバーガラス。
【請求項７】
第２のガラス板の前記接着層と反対側の面周縁における前記電極の第２のガラス板と反対側に、暗色印刷層が設けられている、請求項５または６に記載の表示装置用カバーガラス。
【請求項８】
第１のガラス板の厚さが第２のガラス板の厚さよりも大きい、請求項１、２、３、４、５、６または７に記載の表示装置用カバーガラス。
【発明の詳細な説明】
【技術分野】
【０００１】
本発明は、表示装置の前面カバーに用いられる、表示装置用カバーガラスに関する。
【背景技術】
【０００２】
スマートフォンやタブレットコンピュータで代表される携帯端末や、キャッシュディスペンサ、商品販売機、車載表示装置等には、前面を指やペン等を接触させて動作させるものがある。これらの表示装置は、最前面にカバーガラス、特に化学強化されたカバーガラスが設けられている。カバーガラスの背面（使用者側の面と反対側の面）には、タッチセンサを有するタッチパネル、液晶等の表示パネルが備えられている。
【０００３】
近年、カバーガラスの背面に直接タッチセンサを設けることが提案されている。この場合、化学強化処理されたカバーガラスの背面に電極等が設けられる構成となる。
【０００４】
カバーガラスには、使用中や搬送中の強度向上のために化学強化処理を施したガラス基板が用いたものが、近年多くみられるようになってきた。化学強化処理は、ガラス基板中のＬｉをＮａに置換したりガラス基板中のＮａをＫに置換したりして、表面に高い圧縮応力を形成させるものである。そのため、化学強化後のガラス基板または化学強化用のガラス基板は、表層にＮａを多く含んでいる（特許文献１等）。
【先行技術文献】
【特許文献】
【０００５】
【特許文献１】特表2010-527892号公報
【発明の概要】
【発明が解決しようとする課題】
【０００６】
このようにＮａを表層に多く含んだガラス基板の背面にタッチセンサのための電極を設けようとすると、電極にＮａ＋が溶出しやすくなる。電極にＮａ＋が溶出すると、電極が劣化しタッチセンサの動作不良を引き起こす。
【０００７】
また、カバーガラスの背面側周縁には、表示装置の筺体との接合部分を隠ぺいするための、暗色印刷が設けられている。この暗色印刷には、同じくＮａ＋に耐え得る材料を選ばなければならない。
【０００８】
本発明の目的は、化学強化処理されており、かつ、タッチセンサのための電極の劣化を防止できる、さらには暗色印刷用の材料の選択肢を広げることができる、カバーガラスを提供することにある。
【課題を解決するための手段】
【０００９】
本発明は、表示装置の前面に備えられる、表示装置用カバーガラスであって、化学強化処理された第１のガラス板と、無アルカリガラスまたは微アルカリガラスからなる第２のガラス板と、第１のガラス板と第２のガラス板との間に介在する接着層と、を備え、第１のガラス板が表示装置の使用者側に配される、表示装置用カバーガラスを提供する。
【００１０】
上述のカバーガラスとして、第２のガラス板が、実質的にアルカリ成分を含まないガラスからなることは好ましい。
【００１１】
上述の各カバーガラスとして、第１のガラス板の前記接着層側の面周縁に暗色印刷層が設けられていることは好ましい。
【００１２】
上述の各カバーガラスとして、第２のガラス板の前記接着層と反対側の面周縁に暗色印刷層が設けられていることは好ましい。
【００１３】
上述の各カバーガラスとして、第２のガラス板の前記接着層と反対側の面に電極が設けられていることは好ましい。
【００１４】
上述の電極が設けられたカバーガラスとして、前記電極が、表示装置のタッチセンサを動作させるパタン化された電極を含むことは好ましい。
【００１５】
上述の電極が設けられた各カバーガラスとして、第２のガラス板の前記接着層と反対側の面周縁における前記電極の第２のガラス板と反対側に、暗色印刷層が設けられていることは好ましい。
【００１６】
上述の各カバーガラスとして、第１のガラス板の厚さが第２のガラス板の厚さよりも大きいことは好ましい。
【発明の効果】
【００１７】
本発明の表示装置用カバーガラスによれば、表示装置の使用者側の面を充分な強度が得られ、かつ、背面のタッチセンサの劣化を低減できる。また、カバーガラスの背面側周縁に設けられる暗色印刷層に用いる材料の選択肢を広げることができる。
【図面の簡単な説明】
【００１８】
【図１】本発明の表示装置用カバーガラスの一態様を示す概略断面図である。
【図２】本発明の表示装置用カバーガラスを表示装置に備えた一例を示す概略断面図である。
【発明を実施するための形態】
【００１９】
以下、図面に基づいて本発明をさらに詳細に説明する。
【００２０】
図１は、本発明の表示装置用カバーガラスの一態様を示す概略断面図である。
【００２１】
カバーガラス１０は、化学強化処理された第１のガラス板１１と、無アルカリガラスまたは微アルカリガラスからなる第２のガラス板２２と、第１のガラス板１１と第２のガラス板１２との間に介在する接着層１３と、を備えている。
【００２２】
本例では、第２のガラス板１２の接着層と反対側の面周縁には、暗色印刷層１４が設けられており、さらに電極１５が設けられている。
【００２３】
図２に示すように、第１のガラス板１１は表示装置１の前面に配され、第２のガラス板１２はカバーガラス１０の背面に設けられたタッチセンサ２１側に配される。タッチセンサ２１の背面には、さらに表示パネル３１が配されている。
【００２４】
本発明における第１のガラス板には、化学強化処理のしやすいガラスを用いることが好ましい。具体的には、次のような組成のガラスを例示できる。質量％でＳｉＯ２：４０〜７１％、Ａｌ２Ｏ３：３〜２１％、Ｌｉ２Ｏ：０〜３．５％、Ｎａ２Ｏ：７〜２０％、Ｋ２Ｏ：０〜１５％を含有するガラス。モル％でＳｉＯ２：６４〜６８％、Ａｌ２Ｏ３：８〜１２％、Ｎａ２Ｏ：１２〜２０％、Ｋ２Ｏ：２〜２０％、ＭｇＯ：４〜６％、を含有するガラス。モル％でＳｉＯ２：６１〜７５％、Ａｌ２Ｏ３：７〜１５％、Ｎａ２Ｏ：９〜２１％、ＭｇＯ：０〜７％、を含有するガラス。モル％でＳｉＯ２：５０〜７２％、Ａｌ２Ｏ３：２〜１２％、Ｎａ２Ｏ：８〜１６％、Ｂ２Ｏ３：８〜１６％、を含有するガラス。
【００２５】
本発明における第２のガラス板には、工業的に無アルカリガラスと呼ばれる、実質的にアルカリ成分を含まないガラスを用いることが好ましい。具体的には、次のような組成のガラスを例示できる。モル％表示で実質的に、ＳｉＯ２：６０〜７３％、Ａｌ２Ｏ３：５〜１６％、Ｂ２Ｏ３：５〜１２％、ＭｇＯ：０〜６％、ＣａＯ：０〜９％、ＳｒＯ：１〜９％、ＢａＯ：０〜１％未満、ＭｇＯ＋ＣａＯ＋ＳｒＯ＋ＢａＯ：７〜１８％、を含有するガラス。酸化物基準の質量パーセントで計算して、４９％−５８％のＳｉＯ２、１７．５％−２３％のＡｌ２Ｏ３、０％−１４．５％のＢ２Ｏ３、０％−８％のＭｇＯ、０％−９％のＣａＯ、０．４％−１３．５％のＳｒＯ、および０％−２１％のＢａＯから実質的になり、ＭｇＯ＋ＣａＯ＋ＳｒＯ＋ＢａＯの合計が１３％−２８％、を含有するガラス。質量百分率で、ＳｉＯ２：５８．０〜６８．０％、Ａｌ２Ｏ３：１０．０〜２５．０％、Ｂ２Ｏ３：３．０〜１５．０％、ＭｇＯ：０〜２．９％、ＣａＯ：０〜８．０％、ＢａＯ：０．１〜５．０％、ＳｒＯ：０．１〜１０．０％、ＺｎＯ：０〜５．０％、ＭｇＯ＋ＣａＯ＋ＳｒＯ＋ＢａＯ＋ＺｎＯ：５．０〜２０．０％、ＺｒＯ２：０〜５．０％、ＴｉＯ２：０〜５．０％、を含有するガラス。
【００２６】
また、本発明における第２のガラス板は、表示装置を充分使用できる程度にタッチセンサの劣化を低減できれば、若干のアルカリ成分を許容する微アルカリガラスと呼ばれるガラスを用いることもできる。具体的には、酸化物基準の質量百分率表示でＳｉＯ２：４５〜７０％、Ａｌ２Ｏ３：５〜２５％、Ｂ２Ｏ３：１〜２０％、ＭｇＯ：０〜１０％、ＣａＯ：０〜１５％、ＳｒＯ：０〜１５％、ＢａＯ：０〜２０％を母組成とし、母組成の総量に対して、質量百万分率表示または質量百分率表示で硫黄をＳＯ３換算で１ｐｐｍ以上、０．０２％未満含有し、質量百分率表示でＮａおよび／またはＫをＲ２Ｏ（Ｒは、Ｎａ、Ｋを意味する）換算で０．０３％以上、０．１％未満含有するガラスを例示できる。
【００２７】
本発明における接着層の厚さとしては、１０〜１００μｍを例示できる。接着層を形成する材料としては、紫外線硬化型、熱硬化型等の、ガラス材料とガラス材料とを接合できる、種々の材料を用いることができる。例えば、後述の第１、２のガラス板用の大型のガラス基板の接合を効率よく行うためには、建築用の合せガラスに用いられるポリビニルブチラールフィルムやエチレン酢酸ビニルフィルム等をガラス基板間に介在しオートクレーブ等の中で接合することができる。
【００２８】
また、液状やペースト状の接着材料を一方のガラス基板またはガラス板に滴下、塗布などして、それぞれのガラス基板またはガラス板を接合することもできる。さらには、後の工程において加熱処理する場合を考慮し、耐熱性の高い材料を用いることも好ましい。
【００２９】
これら材料の例としては、エポキシ系の１液または２液の紫外線硬化型接着材料、ウレタン系の熱硬化型接着材料、等があげられる。
【００３０】
また、後の工程で暗色印刷層の焼成工程等の加熱処理工程を経る場合、接着層自身が耐熱性を要求される場合がある。このような接着層の材料として、広義の接着として粘着性を有し高温下の工程に耐得る、硬化性シリコーン樹脂を主成分とし、この硬化性シリコーン樹脂が、下記線状オルガノポリシロキサン（ａ）と下記線状オルガノポリシロキサン（ｂ）とを含む硬化性シリコーン樹脂組成物を例示できる。線状オルガノポリシロキサン（ａ）：アルケニル基を１分子あたり少なくとも２個有する線状オルガノポリシロキサン。
線状オルガノポリシロキサン（ｂ）：ケイ素原子に結合した水素原子を１分子あたり少なくとも３個有する線状オルガノポリシロキサンであって、かつ、前記水素原子の少なくとも１個が分子末端のケイ素原子に結合している線状オルガノポリシロキサン。 
カバーガラスと表示装置の筺体（図示せず）との接合部分を隠ぺいするための暗色印刷層は、カバーガラスの周縁全周であっても、周縁一部であってもよい。この暗色印刷層用の材料としては、セラミックペースト、有機溶媒に顔料または染料を含有させたインク等を例示できる。この暗色印刷層は、第１のガラス板の接着層の側の面、第２のガラス板の接着層側の面、第２のガラス板の接着層と反対側の面、さらには好適に設けられる第２のガラス板の電極面、のうちいづれか１つまたは複数の部分に設けることができる。そのうち、他の工程での暗色印刷層への傷つき防止の点や、暗色印刷層を形成する材料の選択肢の多さの点から、第２のガラス板の接着層と反対側の面が好ましい。
【００３１】
第２のガラス板の背面側に好適に設けられる電極としては、第２のガラス板のほぼ全面に設けられた平面電極であっても、さらにはタッチセンサを動作させるためのパタン化された電極を含んでもよい。これらの電極を形成する材料としては、ＳｎＯ２、ＩＴＯ等を例示できる。
【００３２】
このように、第２のガラス板が電極や暗色印刷層を有することで、あらかじめ第２のガラス板用の大型基板に規則的に複数の電極や暗色印刷層を形成した後に、切断することで、大量の第２のガラス板を簡便に得ることができる。
【００３３】
さらには、第１のガラス板用のガラス基板と、上述のように規則的に複数の電極や暗色印刷層を形成した第２のガラス板用のガラス基板とを、接着層を介して接合した後に切断し、複数の表示装置用カバーガラスを得ることもできる。
【００３４】
逆に、あらかじめ表示装置用の形状に切断・加工、必要に応じて電極や暗色印刷層を形成した後に、第１のガラス板と第２のガラス板とを、接着層を介して接合することもできる。この場合、筺体との接合を簡便にしたり、タッチセンサや表示パネルの保護度合を向上させたりするために、第１のガラス板の外形が第２のガラス板の外形よりも大きいことが好ましい。
【００３５】
第１のガラス板の厚さとしては、０．５〜１．５ｍｍを例示でき、好ましくは０．７〜１．１ｍｍである。その理由は、第１のガラス板は表示装置の使用者側に位置するため、所望の剛性または強度が必要であるからである。
【００３６】
第２のガラス板の厚さとしては、０．５〜１．５ｍｍを例示でき、好ましくは０．５〜０．８ｍｍである。さらに、第２のガラス板の厚さは第１のガラス板の厚さよりも小さいことが好ましい。その理由は、第１のガラス板には所望の剛性または強度が求められる一方、カバーガラス全体としては軽量化等のためにできるだけ薄い方がよいからである。
【産業上の利用可能性】
【００３７】
本発明の表示装置用カバーガラスは、表示装置の使用者側の面を充分な強度が得られ、かつ、背面のタッチセンサの劣化を低減でき、さらにはカバーガラスの暗色印刷層用の材料の選択肢が広げられる、携帯端末のカバーガラス、キャッシュディスペンサや商品販売機等の無人操作用表示装置、車載用表示装置、などの表示装置用カバーガラスとして好適である。
【符号の説明】
【００３８】
１０：カバーガラス
１１：第１のガラス板
１２：第２のガラス板
１３：接着層
【図１】
2013174700.tif 000003
【図２】
2013174700.tif 000004